(57)【要約】【目的】脚部の踏桟を容易且つ安全に上がることのできる作業台を提供すること。【解決手段】作業ステージ１の両端に一対の脚部３，３を折り畳み可能に枢着し、各脚部３は、両側一対の脚柱４，４と両脚柱４，４間に横架される踏桟５とによって形成してなる作業台において、脚部３の脚柱４に沿って昇降用手摺８を着脱可能に設ける。【選択図】　　　　図１
2004132075.tif 000002
【特許請求の範囲】
【請求項１】
作業ステージの両端に一対の脚部を折り畳み可能に枢着し、各脚部は、両側一対の脚柱と両脚柱間に横架される踏桟とによって形成してなる作業台において、脚部の脚柱に沿って昇降用手摺を着脱可能に設けてなることを特徴とする作業台。
【請求項２】
作業ステージよりも上方に突出するように設けられた手掛り棒に、前記昇降用手摺の上端部を着脱可能に取り付けてなることを特徴とする請求項１に記載の作業台。
【請求項３】
昇降用手摺は、手摺本体と、この手摺本体に取り付けられた複数の支持脚と、各支持脚の先端部に設けられ、前記脚柱又は及び手掛り棒に嵌合可能な略コ字状の取付枠と、このコ字状取付枠のコ字状開口部に亘って開閉可能に係止されるロック手段とからなることを特徴とする請求項１又は２に記載の作業台。
【発明の詳細な説明】
【０００１】
【発明の属する技術分野】
本発明は、建物の建設現場等において天井の内装仕上げや天井内の配線等の比較的高い場所で作業を行なう時に使用する作業台に関するものである。
【０００２】
【従来の技術】
この種の作業台は、作業ステージの両端に一対の脚部を折り畳み可能に枢着し、各脚部は、両側一対の脚柱と両脚柱間に横架される踏桟とによって構成されている。このような作業台において、脚部の長さが長くなれば、即ち、接地面から最上部までの高さが例えば１．５ｍを越える様な場合に、作業者が作業ステージの上又は最上段の踏桟に登載したり作業したりする時に不測に落下すれば危険であることから、作業者が手掛けできる手掛り棒を作業ステージよりも上方に突出するように設け、安全に作業を行なえるようにしている（例えば、特許文献１参照）。
【０００３】
【特許文献１】
特許第３０９３６９９号公報（第２頁〜４頁、図１及び図２）
【０００４】
【発明が解決しようとする課題】
上記のような手掛り棒を設けることによって、作業者は作業ステージや踏桟に位置している時に安定良く手掛けすることができ、安全に作業を行なうことができるが、脚部の長さが長く、接地面から最上部までの高さが高い場合には、作業者が脚部の踏桟を昇降する際に、例えば上段側の踏桟に一々手を掛けながら登らなければならず、その脚部の昇降が難しく、また危険であった。
【０００５】
本発明は、脚部を容易且つ安全に上がることのできる作業台を提供することを目的とする。
【０００６】
【課題を解決するための手段】
請求項１に係る発明は、作業ステージ１の両端に一対の脚部３，３を折り畳み可能に枢着し、各脚部３は、両側一対の脚柱４，４と両脚柱４，４間に横架される踏桟５とによって形成してなる作業台において、脚部３の脚柱４に沿って昇降用手摺８を着脱可能に設けてなることを特徴とする。
【０００７】
請求項２は、請求項１に記載の作業台において、作業ステージ１よりも上方に突出するように設けられた手掛り棒６に、前記昇降用手摺８の上端部を着脱可能に取り付けてなることを特徴とする。
【０００８】
請求項３は、請求項１又は２に記載の作業台において、昇降用手摺８は、手摺本体９と、この手摺本体９に取り付けられた複数の支持脚１０，１１と、各支持脚１０，１１の先端部に設けられ、前記脚柱４又は及び手掛り棒６に嵌合可能な略コ字状の取付枠１２，１３と、このコ字状取付枠１２，１３のコ字状開口部に亘って開閉可能に係止されるロック手段１４とからなることを特徴とする。
【０００９】
【発明の実施の形態】
図１は本発明に係る作業台の使用状態における斜視図、図２は同作業台の正面図、図３は同作業台の側面図である。この作業台は、作業ステージ１の左右両端に、枢支点である回転連結金具２，２によって、左右一対の脚部３，３を、作業ステージ１の下面に略平行に折り畳んだ閉脚状態と図２に示すように下方に向けて下広がり状に傾斜して起立した開脚状態との間で開閉可能に取り付けてなるもので、各脚部３は、図３に示すように下広がり状に傾斜した両側一対の脚柱４，４と両脚柱４，４間に上下複数段に横架される踏桟５とによって形成され、また各脚柱４は、下端に脚端具４ａを有する伸縮脚４ｂに繋がれて伸縮可能となっている。
【００１０】
また図１〜図３に示すように、左右両脚部３，３のうち、何れか一方の脚部３の両脚柱４，４に夫々手掛り棒６が設けられ、各手掛り棒６は、図２のように脚柱４に沿って作業ステージ１より上方へ突出した伸展状態と、図示はしないが、上記伸展状態から反転して脚柱４に沿った状態に折り畳む折り畳み状態とに亘り回動手段７によって回動可能に枢着されている。そして、本発明の要部である昇降用手摺８は、脚部３の各脚柱４に沿って着脱可能に設けられている。
【００１１】
上記昇降用手摺８の構造について詳細に説明すると、図４の（Ａ）及び（Ｂ）は、昇降用手摺８の上端部側の構造を夫々異なった角度から見た斜視図であり、図５の（Ｂ）は同昇降用手摺８の下端部側の構造を夫々異なった角度から見た斜視図である。
【００１２】
各昇降用手摺８は、手摺本体９と、この手摺本体９の上端部及び下端部に取り付けられた２つの支持脚１０，１１と、図４に示す上端部側の支持脚１０の先端部に設けられ、手掛り棒６に嵌合可能な略コ字状の取付枠１２と、図５に示す下端部側の支持脚１１の先端部に設けられ、脚部３の脚柱４に嵌合可能な略コ字状の取付枠１３と、各コ字状取付枠１２，１３のコ字状開口部Ｏに亘って開閉可能に係止されるロック手段１４とから構成される。
【００１３】
手摺本体９は、例えば四角筒状のアルミニウム押し出し型材からなるもので、その両端部に夫々合成樹脂製のキャップ１５が装着されている。各支持脚１０は例えば鋼管からなるもので、一端部に溶接で固着された鋼板製のコ字枠片１６を手摺本体９に嵌合させてリベットＲ止めすることにより、手摺本体９の上下各端部に取り付けられる。
【００１４】
各コ字状取付枠１２，１３は、鋼板によって基板部ａと両側板部ｂ，ｃとからなるコ字状に形成されたもので、上端部側のコ字状取付枠１２は、図４の（Ａ）に示すように、その基板部ａが支持脚１０の先端部に溶接Ｗによって固着され、下端部側のコ字状取付枠１３は，図５の（Ａ）に示すように、基板部ａが支持脚１１の先端部にボルト１７によって水平方向回動可能に取り付けられている。
【００１５】
また、各ロック手段１４は、詳細には図４及び図５に示すように、コ字状取付枠１２，１３の一方の側板部ｂの先端側に軸支されている枢支ボルト１８にＴ字状を成すように固着されたクランプボルト１９を有し、このクランプボルト１９は、コ字状取付枠１２，１３のコ字状開口部Ｏを開放する開放位置と、図４及び図５に示すようにコ字状開口部Ｏを閉鎖する閉鎖位置とに亘って枢支ボルト１８を中心に回動し、そして閉鎖位置においてコ字状取付枠１２，１３の他方の側板部１１ｃの先端側に形成された切欠溝Ｇに係入して蝶ナット２０を締め付けることにより、コ字状取付枠１２を手掛り棒６に固定し、またコ字状取付枠１３を脚部３の脚柱４に固定するようになっている。
【００１６】
上記のような構成の昇降用手摺８を使用する際は、図１〜図３に示すように、両脚部３，３を開脚させ、一方の脚部３側にある手掛り棒６を図示のように伸展させて作業ステージ１より上方へ突出させた状態で、当該一方の脚部３の各脚柱４に沿って昇降用手摺８を配し、各昇降用手摺８の上端部側のコ字状取付枠１２を手掛り棒６に嵌合させてロック手段１４により係止することによって、コ字状取付枠１２を手掛り棒６に固定し、また下端部側のコ字状取付枠１３を脚柱４に嵌合させてロック手段１４で係止することにより、コ字状取付枠１３を脚柱４に固定すればよい。
【００１７】
このように脚部３の脚柱４に昇降用手摺８を設置しておけば、作業台の使用にあたって作業者が脚部３の踏桟５を昇り降りする時に、作業者は、昇降用手摺８を掴みながら、この手摺８に沿って脚部３の踏桟５を昇り降りすることができ、従って接地面から作業ステージ１までの高さが高い場合でも、脚部３の昇降を容易且つ安全に行なうことができる。
【００１８】
作業台の使用が終了して、脚部３を折り畳む時は、各ロック手段１４の係止を解除して、取付枠１２，１３を手掛り棒６及び脚柱４から離脱させることによって、昇降用手摺８を簡単容易に取り外すことができる。
【００１９】
この実施形態のように、作業ステージ１より突出するように設けられた手掛り棒６を利用して、この手掛り棒６に昇降用手摺８の上端部を取り付けるようにしているから、昇降用手摺８を脚柱４の上端部を越えた位置まで配設可能となり、従って脚部３から作業ステージ１への乗り移り、また作業ステージ１から脚部３への乗り移りが容易となる。尚、手掛り棒６は、この実施形態では、脚部３の脚柱４に取り付けられているが、脚柱４に隣接した作業ステージ１の端部所要箇所に取り付けられたものでもよい。
【００２０】
手掛り棒６が設けられていない作業台においては、図６に示すように、昇降用手摺８の上下両端部を夫々脚部３の脚柱４に取り付けるようにすればよい。尚、この場合、手摺本体９の上下両端部に取り付けてある支持脚１０，１１には夫々、脚柱４に嵌合可能な略コ字状の取付枠１３が取り付けられる。取付枠１３及びロック手段１４については、図５に示すものと同じであるから、符号のみ付して説明を省略する。
【００２１】
また、図３から分かるように、脚部３の両脚柱４，４は下広がり状に傾斜し、手掛り棒６は脚柱４ように傾斜せず、真っ直ぐに延びており、しかして昇降用手摺８は手掛り棒６に沿って延びるように設置されることから、手摺本体９の下端側にあって脚柱４に嵌合されるコ字状取付枠１３は、この脚柱４に対し傾斜しているため脚柱４に嵌合し難くなるところであるが、コ字状取付枠１３は、前記のようにその基板部ａが支持脚１１に対しボルト１７で水平方向回動可能に取り付けられており、しかもボルト１７とそのボルト挿通孔との間に遊びがあるため、傾斜した脚柱４に対して容易に嵌合させることができる。
【００２２】
また、以上説明したような構成の昇降用手摺８は、構造が簡単であって、製作が容易で安価に提供可能であると共に、着脱操作が簡単容易となる。
【００２３】
また、この実施形態では、昇降用手摺８を両脚部３，３の一方側の脚部３に設けたが、両側の脚部３，３に夫々設けてもよい。また、この実施形態では、脚部３の両脚柱４，４に夫々昇降用手摺８を設置しているが、片方の脚柱４にのみ設置するようにしてもよい。
【００２４】
【発明の効果】
請求項１に係る発明の作業台は、作業ステージの両端に一対の脚部を折り畳み可能に枢着し、各脚部は、脚部の脚柱に沿って昇降用手摺を着脱可能に設けたものであるから、脚柱に昇降用手摺を設置しておけば、作業台の使用にあたって、作業者が脚部を昇り降りする時には、作業者は、昇降用手摺を掴みながら、この手摺伝いに脚部の踏桟を昇り降りすることができ、従って接地面から作業ステージまでの高さが可なり高い場合でも、脚部の昇降を容易且つ安全に行なうことができる。
【００２５】
請求項２に記載のように、作業ステージよりも上方に突出するように設けられた手掛り棒に、昇降用手摺の上端部を着脱可能に取り付けるようにすれば、昇降用手摺を脚柱の上端部を越えた位置まで配設可能となるから、脚部から作業ステージへの乗り移り、また作業ステージから脚部への乗り移りが容易となる。
【００２６】
請求項３に記載のように、昇降用手摺が、手摺本体と、これに取り付けられた複数の支持脚と、各支持脚の先端部に設けられ、脚柱又は及び手掛り棒に嵌合可能な略コ字状の取付枠と、この取付枠のコ字状開口部に亘って開閉可能に係止されるロック手段とからなるものであって、構造が簡単であるから、製作が容易で安価に提供できると共に、着脱操作が容易となる。
【図面の簡単な説明】
【図１】本発明に係る作業台の一実施形態を示す斜視図である。
【図２】同作業台の正面図である。
【図３】同作業台の側面図である。
【図４】（Ａ）は昇降用手摺の上端部分及びこれの手掛り棒への取付状態
を示す斜視図、（Ｂ）は（Ａ）とは異なった角度から見た斜視図である。
【図５】（Ａ）は昇降用手摺の下端部分及びこれの脚柱への取付状態を示
す斜視図、（Ｂ）は（Ａ）とは異なった角度から見た斜視図である。
【図６】本発明に係る作業台の他の実施形態を示す斜視図である。
【符号の説明】
１　　　　　　　　作業ステージ
３　　　　　　　　脚部
４　　　　　　　　脚柱
５　　　　　　　　踏桟
６　　　　　　　　手掛り棒
８　　　　　　　　昇降用手摺
９　　　　　　　　手摺本体
１０，１１　　　　支持脚
１２，１３　　　　取付枠
１４　　　　　　　ロック手段
【図１】
2004132075.tif 000003
【図２】
2004132075.tif 000004
【図３】
2004132075.tif 000005
【図４】
2004132075.tif 000006
【図５】
2004132075.tif 000007
【図６】
2004132075.tif 000008